(57)【要約】【課題】  表面側のＲ形状が安定に保持されるＲ状コーナー部材を提供すること。【解決手段】  基材１の裏面から表面に向かって曲げ溝３が形成され、この曲げ溝の底部にくし歯状の突起４が配設されるとともに、曲げ溝上部の両側縁部５，６が突き合わせ可能とされ、曲げ溝において裏面側に折り曲げられ、曲げ溝上部の両側縁部が突き合わされると、表面側が湾曲して形成されるＲ形状が保持される。【選択図】図１
2006063602.tif 000002
【特許請求の範囲】
【請求項１】
基材の裏面から表面に向かって曲げ溝が形成され、この曲げ溝の底部にくし歯状の突起が配設されるとともに、曲げ溝上部の両側縁部が突き合わせ可能とされたＲ状コーナー部材であって、曲げ溝において裏面側に折り曲げられ、曲げ溝上部の両側縁部が突き合わされると、表面側が湾曲して形成されるＲ形状が保持されることを特徴とするＲ状コーナー部材。
【請求項２】
曲げ溝上部の一方の側縁部が曲げ溝の深さ方向に切り欠かれ、切欠部が形成され、突き合わせ時に、その切欠部に曲げ溝上部の他方の側縁部が係合する請求項１記載のＲ状コーナー部材。
【請求項３】
曲げ溝上部の両側縁部が曲げ溝の内側に向かって斜めに切り欠かれ、切欠部が形成され、突き合わせ時に、両切欠部が当接する請求項１記載のＲ状コーナー部材。
【請求項４】
曲げ溝上部の一方の側縁部がＲ状に切り欠かれ、第１の切欠部が形成され、他方の側縁部が逆Ｒ状に切り欠かれ、第２の切欠部が形成され、突き合わせ時に、第１の切欠部が第２の切欠部に係合する請求項１記載のＲ状コーナー部材。
【発明の詳細な説明】
【技術分野】
【０００１】
本願発明は、建築物の開口部や家具等の縁部に用いられるＲ状コーナー部材に関するものである。
【背景技術】
【０００２】
建築物の開口部や家具等の縁部には、美麗に納めるために、Ｒ状に滑らかに湾曲するコーナー部材が用いられている。このコーナー部材では、裏面から表面に向かって溝が切られ、くし歯状の突起が配設されている。溝においてコーナー部材を裏面側に折り曲げることで突起を少しずつ傾かせ、表面側を曲げ、Ｒ形状が形成される（たとえば、特許文献１参照）。
【特許文献１】特許第２８６３０２３号公報
【発明の開示】
【発明が解決しようとする課題】
【０００３】
しかしながら、特許文献１に例示される従来のＲ状コーナー部材は、曲げ溝底部に配設された突起に位置ずれが起こりやすく、表面側のＲ形状が安定した形状になりにくいという欠点があった。
【０００４】
本願発明は、このような事情に鑑みてなされたものであり、表面側のＲ形状が安定に保持されるＲ状コーナー部材を提供することを解決すべき課題としている。
【課題を解決するための手段】
【０００５】
本願発明は、上記の課題を解決するために、第１には、基材の裏面から表面に向かって曲げ溝が形成され、この曲げ溝の底部にくし歯状の突起が配設されるとともに、曲げ溝上部の両側縁部が突き合わせ可能とされたＲ状コーナー部材であって、曲げ溝において裏面側に折り曲げられ、曲げ溝上部の両側縁部が突き合わされると、表面側が湾曲して形成されるＲ形状が保持されることを特徴としている。
【０００６】
本願発明は、第２には、曲げ溝上部の一方の側縁部が曲げ溝の深さ方向に切り欠かれ、切欠部が形成され、突き合わせ時に、その切欠部に曲げ溝上部の他方の側縁部が係合することを特徴としている。
【０００７】
本願発明は、第３には、曲げ溝上部の両側縁部が曲げ溝の内側に向かって斜めに切り欠かれ、切欠部が形成され、突き合わせ時に、両切欠部が当接することを特徴としている。
【０００８】
本願発明は、第４には、曲げ溝上部の一方の側縁部がＲ状に切り欠かれ、第１の切欠部が形成され、他方の側縁部が逆Ｒ状に切り欠かれ、第２の切欠部が形成され、突き合わせ時に、第１の切欠部が第２の切欠部に係合することを特徴としている。
【発明の効果】
【０００９】
本願発明の第１、第２、第３、第４のいずれのＲ状コーナー部材によっても、表面側のＲ形状が安定に保持される。
【発明を実施するための最良の形態】
【００１０】
以下、図面に沿って本願発明のＲ状コーナー部材について詳しく説明する。
【００１１】
図１は、本願発明のＲ状コーナー部材の一実施形態を示した要部断面図である。
【００１２】
図１に示したＲ状コーナー部材では、基材１の表面に化粧用の化粧材２が配設されている。基材１には、たとえば、ＭＤＦ等の木質のものを採用することができ、化粧材２には、オレフィン系のシート等を採用することができる。
【００１３】
基材１には、裏面から表面に向かって曲げ溝３が形成されている。曲げ溝３の底部には、複数のくし歯状の突起４が設けられている。この突起４の高さは、曲げ溝３の深さに比べ、低くされている。また、曲げ溝３の上部の一方の側縁部は、曲げ溝３の深さ方向に切り欠かれ、切欠部５が形成されている。
【００１４】
このような構成を有するＲ状コーナー部材は、曲げ溝３において裏面側に折り曲げることができる。この折り曲げによって、くし歯状の突起４は徐々に傾斜し、表面側にＲ形状が形成される。また、図１に示したＲ状コーナー部材では、折り曲げにより、曲げ溝３の上部の一方の側縁部に形成された切欠部５が、曲げ溝３の上部の他方の側縁部６に突き合わされるように係合する。くし歯状の突起４の高さは、曲げ溝３の深さより低くしているため、切欠部５の側縁部６への係合は妨げられない。この係合によって、突起４に発生しやすかった位置ずれが抑制され、表面側のＲ形状は安定に保持される。形状安定性に優れたＲ状コーナー部材が提供される。
【００１５】
図２は、本願発明のＲ状コーナー部材の別の実施形態を示した要部断面図である。
【００１６】
図２に示したＲ状コーナー部材において、図１図中に示した符号と同じ符号は、同一のものを示している。
【００１７】
そして、このＲ状コーナー部材では、曲げ溝３の上部の両側縁部が、曲げ溝３の内側に向かって斜めに切り欠かれ、切欠部７，８が形成されている。
【００１８】
曲げ溝３においてＲ状コーナー部材を裏側に折り曲げると、図２に示したＲ状コーナー部材では、図１に示したＲ状コーナー部材と同様に、曲げ溝３の底部に配設されたくし歯状の突起４が徐々に傾き、表面側にＲ形状が形成される。そして、切欠部７，８が突き合わされ、当接する。この当接は、くし歯状の突起４の高さを曲げ溝３の深さより低くしているため可能となっている。切欠部７，８の当接により、図１に示したＲ状コーナー部材と同様に、突起４の位置ずれが抑制され、表面側のＲ形状は安定に保持される。図２に示したＲ状コーナー部材では、切欠部７，８は、たとえば、基材１の裏面に対して下方に４５°傾斜するものとすることができる。
【００１９】
図３は、本願発明のＲ状コーナー部材のまた別の実施形態を示した要部断面図である。
【００２０】
図３に示したＲ状コーナー部材において、図１および図２に示した符号と同じ符号は、同一のものを示している。
【００２１】
図３に示したＲ状コーナー部材では、曲げ溝３の上部の一方の側縁部がＲ状に切り欠かれ、第１の切欠部９が形成されている。また、曲げ溝３の上部の他方の側縁部は、逆Ｒ状に切り欠かれ、第２の切欠部１０が形成されている。これら第１の切欠部９と第２の切欠部１０では、曲率は同一となっている。
【００２２】
このような図３に示したＲ状コーナー部材では、曲げ溝３において裏面側に折り曲げると、曲げ溝３の底部に配設された突起４が徐々に傾斜し、表面側にＲ形状が形成される。裏面側では、第１の切欠部９が第２の切欠部１０に突き合わされるように係合する。この係合は、くし歯状の突起４の高さを曲げ溝３の深さより低くしているため可能となっている。第１の切欠部９と第２の切欠部１０の係合によって、突起４の位置ずれが抑制され、表面側のＲ形状が安定に保持される。図３に示したＲ形状コーナー部材は、表面側のＲ形状の安定性にとりわけ優れる。
【００２３】
もちろん、本願発明は、以上の実施形態によって限定されるものではない。基材および化粧材の材質、寸法、曲げ溝の深さ、くし歯状の突起の数、高さ等の細部については様々な態様が可能である。
【図面の簡単な説明】
【００２４】
【図１】本願発明のＲ状コーナー部材の一実施形態を示した要部断面図である。
【図２】本願発明のＲ状コーナー部材の別の実施形態を示した要部断面図である。
【図３】本願発明のＲ状コーナー部材のまた別の実施形態を示した要部断面図である。
【符号の説明】
【００２５】
１    基材
２    化粧材
３    曲げ溝
４    突起
５    切欠部
６    側縁部
７    切欠部
８    切欠部
９    第１の切欠部
１０    第２の切欠部
【図１】
2006063602.tif 000003
【図２】
2006063602.tif 000004
【図３】
2006063602.tif 000005